(57)【要約】【課題】記録媒体対応機器からの配線が断線することがなく、開閉部材の開閉操作を容易かつ確実とする。【解決手段】遊技機本体１１、上皿ユニット４０、カードリーダライタユニット２０の記録媒体情報を表示する表示部（７セグメント表示器８１等）、カードリーダライタユニット２０へ操作信号を送信する操作部（球貸スイッチ９１，カード返却スイッチ９２等）を有する。表示部は、上皿ユニット４０の表面から視認可能に設けられるとともに、カードリーダライタユニット２０からの配線８３が接続される度数表示基板８０を有する。操作部は、上皿ユニット４０の表面から操作可能に設けられるとともに、カードリーダライタユニット２０からの配線９３が接続されるスイッチ基板９０を有する。遊技機本体１１に、度数表示基板８０とスイッチ基板９０の少なくとも一方を配設する。【選択図】          図１
2004350772.tif 000002
【特許請求の範囲】
【請求項１】
遊技機本体、該遊技機本体に開閉可能に取り付けた開閉部材、記録媒体対応機器の記録媒体情報を表示する表示部、前記記録媒体対応機器へ操作信号を送信する操作部を有し、
前記表示部は、前記開閉部材の表面から視認可能に設けられるとともに、前記記録媒体対応機器からの配線が接続される表示基板を有し、
前記操作部は、前記開閉部材の表面から操作可能に設けられるとともに、前記記録媒体対応機器からの配線が接続される操作基板を有する遊技機であって、
前記遊技機本体に、前記表示基板と前記操作基板との少なくともいずれか一方を配設したことを特徴とする遊技機。
【請求項２】
前記開閉部材は、複数の部材により構成されていることを特徴とする請求項１記載の遊技機。
【請求項３】
前記表示部は、前記表示基板と対向する表示窓部材を有し、
該表示窓部材は、前記開閉部材に設けたことを特徴とする請求項１または２記載の遊技機。
【請求項４】
前記操作部は、前記操作基板と対向する操作部材を有し、
該操作部材は、前記開閉部材に設けたことを特徴とする請求項１〜３のうちいずれか１項記載の遊技機。
【請求項５】
前記表示基板および前記操作基板を支持する支持部材を有し、
該支持部材は、前記開閉部材の表面と、前記表示基板および前記操作基板とが略平行となる角度で、前記遊技機本体に取り付けたことを特徴とする請求項１〜４のうちいずれか１項記載の遊技機。
【請求項６】
遊技機本体と、
該遊技機本体に開閉可能に取り付けた開閉部材と、
遊技者と記録媒体対応機器との間で伝達される情報を前記開閉部材の表面から入力と出力の少なくともどちらか一方が可能なインターフェース部と、
前記記録媒体対応機器からの配線に接続され、前記インターフェース部で前記情報を伝達される側が認識可能な情報に変換するインターフェース基板とを有する遊技機であって、
前記遊技機本体に、前記インターフェース基板を配設したことを特徴とする遊技機。
【発明の詳細な説明】
【０００１】
【発明の属する技術分野】
本発明は、カードリーダライタ等の記録媒体対応機器に関する表示および操作を行う部材を有する遊技機に関する。
【０００２】
【従来の技術】
従来、この種の遊技機としてパチンコ機が知られており、パチンコ機に並設されたカードリーダライタにプリペイドカードを挿入し、プリペイドカードに記録された有価価値の範囲内でパチンコ球の貸し出しを受けることができるようになっている（例えば、特許文献１参照）。
【０００３】
このようなパチンコ機では、パチンコ球の貸し出し操作を容易に行うことができるようにするため、上皿ユニットの上部表面に、カードリーダライタの操作部である球貸しボタン、返却ボタン、およびカード度数表示器が設けられている。
【０００４】
また、操作部である球貸しボタンおよび返却ボタンは、カードリーダライタからの配線が接続される操作基板を有しており、カード度数表示器は、カードリーダライタからの配線が接続される表示基板を有している。操作基板および表示基板は、操作部およびカード度数表示器と一体に構成されており、上皿ユニットの内部に配設されている。
【０００５】
【特許文献１】
特許第３００２７０７号公報
【０００６】
【発明が解決しようとする課題】
上述したように、操作基板や表示基板にはカードリーダライタからの配線が接続されており、操作基板や表示基板は上皿ユニット内部に配設されている。
【０００７】
このため、上皿ユニットを開閉する際に、操作基板や表示基板とカードリーダライタを接続する配線がヒンジ部に噛み込まれてしまったり、上皿ユニットと遊技機本体との間に挟まってしまうことがある。
【０００８】
このような状態となると、上皿ユニットをきちんと閉めることができず、最悪の場合には、操作基板や表示基板とカードリーダライタを接続する配線が断線してしまうおそれもあった。
【０００９】
本発明は、上述した事情に鑑み提案されたもので、記録媒体対応機器に関する表示および操作を行う部材を有する遊技機において、該表示および操作を行う部材と記録媒体対応機器を接続する配線が断線することがなく、また開閉部材の開閉操作を容易かつ確実に行うことができる遊技機を提供することを目的とする。
【００１０】
【課題を解決するための手段】
本発明に係る遊技機は、上述した目的を達成するため、以下の特徴点を備えている。なお、本発明に係る遊技機の各構成要素について、図面に付した符号を参照して、具体的な適用例を示すが、各構成要素はこれらに限定されるものではない。
【００１１】
本発明に係る遊技機（例えば、パチンコ機１０）は、遊技機本体（ここでは、前面枠１２を含む遊技機本体１１のことをいう）、該遊技機本体（例えば、前面枠１２）に開閉可能に取り付けた開閉部材（例えば、上皿ユニット４０）、記録媒体対応機器（例えば、カードリーダライタユニット２０）の記録媒体情報を表示する表示部（例えば、７セグメント表示器８１等）、前記記録媒体対応機器（カードリーダライタユニット２０）へ操作信号を送信する操作部（例えば、球貸スイッチ９１、返却スイッチ９２等）を有し、
前記表示部（７セグメント表示器８１等）は、前記開閉部材（上皿ユニット４０）の表面から視認可能に設けられるとともに、前記記録媒体対応機器（カードリーダライタユニット２０）からの配線（８３）が接続される表示基板（例えば、度数表示基板８０）を有し、
前記操作部（球貸スイッチ９１、返却スイッチ９２等）は、前記開閉部材（上皿ユニット４０）の表面から操作可能に設けられるとともに、前記記録媒体対応機器（カードリーダライタユニット２０）からの配線（９３）が接続される操作基板（例えば、スイッチ基板９０）を有する遊技機であって、
前記遊技機本体（前面枠１２）に、前記表示基板（度数表示基板８０）と前記操作基板（スイッチ基板９０）との少なくともいずれか一方を配設したことを特徴とするものである。
【００１２】
このような構成からなる遊技機（パチンコ機１０）では、記録媒体対応機器（カードリーダライタユニット２０）により、プリペイドカード等の記録媒体に記録された有価価値情報を読み取り、該有価価値の範囲内で遊技媒体（例えば、パチンコ球）の貸し出しを受けることができる。
【００１３】
表示部（７セグメント表示器８１等）は開閉部材（上皿ユニット４０）の表面から視認可能となっており、記録媒体対応機器（カードリーダライタユニット２０）で記録媒体から読み取った有価価値が表示される。そして、開閉部材（上皿ユニット４０）の表面から操作可能に設けられた操作部（球貸スイッチ９１、返却スイッチ９２等）を操作することにより記録媒体対応機器（カードリーダライタユニット２０）に操作信号を送信すると、遊技媒体（パチンコ球）の貸し出しを受けることができる。この際、貸し出した遊技媒体（パチンコ球）に対応する有価価値が減算され、記録媒体に有価価値情報として再記録されるとともに、減算された有価価値が表示部（７セグメント表示器８１等）に表示される。
【００１４】
表示部（７セグメント表示器８１等）の表示基板（度数表示基板８０）と、操作部（球貸スイッチ９１、返却スイッチ９２等）の操作基板（スイッチ基板９０）には、記録媒体対応機器（カードリーダライタユニット２０）からの配線（８３，９３）が接続されており、この配線（８３，９３）を介して、表示基板（度数表示基板８０）および操作基板（スイッチ基板９０）と記録媒体対応機器（カードリーダライタユニット２０）との間における信号の送受信が行われる。
【００１５】
表示基板（度数表示基板８０）や操作基板（スイッチ基板９０）は、遊技機本体（前面枠１２）に配設されているため、記録媒体対応機器（カードリーダライタユニット２０）からの配線（８３，９３）も遊技機本体（前面枠１２）内に配設されることとなる。したがって、開閉部材（上皿ユニット４０）を開閉した際に、開閉部材（上皿ユニット４０）のヒンジや、開閉部材（上皿ユニット４０）と遊技機本体（前面枠１２）との間に配線が挟まることがないので、配線が断線することがなく、また開閉部材（上皿ユニット４０）の開閉操作を容易かつ確実に行うことができる。
【００１６】
また、本発明に係る遊技機（パチンコ機１０）は、前記構成に加えて、前記開閉部材（上皿ユニット４０）は、複数の部材（例えば、ベース部材４１、フロントカバー４２、上皿４３、および表示操作パネル４４）により構成されていることを特徴とするものである。
【００１７】
このような構成からなる遊技機（パチンコ機１０）では、例えば、開閉部材が上皿ユニット４０である場合に、ベース部材４１、フロントカバー４２、上皿４３、および表示操作パネル４４等の部材により上皿ユニット４０が構成される。
【００１８】
このように、開閉部材（上皿ユニット４０）を複数の部材により構成した場合に、従来の技術のように表示基板（度数表示基板８０）および操作基板（スイッチ基板９０）を開閉部材（上皿ユニット４０）の内部に配設したのでは、開閉部材（上皿ユニット４０）を組み立てる際に、記録媒体対応機器（カードリーダライタユニット２０）からの配線（８３，９３）が各部材の間に挟まるおそれがある。
【００１９】
これに対して、本発明に係る遊技機（パチンコ機１０）では、表示基板（度数表示基板８０）および操作基板（スイッチ基板９０）を遊技機本体（前面枠１２）に配設しているため、開閉部材（上皿ユニット４０）の内部に記録媒体対応機器（カードリーダライタユニット２０）からの配線（８３，９３）が存在しないので、配線（８３，９３）が断線することがなく、また開閉部材（上皿ユニット４０）の組み立てを容易かつ確実に行うことができる。
【００２０】
また、本発明に係る遊技機（パチンコ機１０）は、前記構成に加えて、前記表示部（７セグメント表示器８１等）は、前記表示基板（度数表示基板８０）と対向する表示窓部材（例えば、度数表示窓部材５０）を有し、
該表示窓部材（度数表示窓部材５０）は、前記開閉部材（上皿ユニット４０）に設けたことを特徴とするものである。
【００２１】
このような構成からなる遊技機（パチンコ機１０）では、開閉部材（上皿ユニット４０）に設けられた表示窓部材（度数表示窓部材５０）を介して、表示基板（度数表示基板８０）上に配設された７セグメント表示器８１等の表示器を視認することができる。
【００２２】
また、開閉部材（上皿ユニット４０）において、表示基板（度数表示基板８０）に対向する部分には表示窓部材（度数表示窓部材５０）が存在するため、この表示窓部材（度数表示窓部材５０）により開閉部材（上皿ユニット４０）の表面が閉塞されており、開閉部材（上皿ユニット４０）の表面側から開閉部材（上皿ユニット４０）内に針金等の異物を挿入することができない。したがって、遊技機（パチンコ機１０）の外部から遊技機（パチンコ機１０）の内部へ異物を挿入する等の不正行為を未然に防止することができる。
【００２３】
また、本発明に係る遊技機（パチンコ機１０）は、前記構成に加えて、前記操作部（球貸スイッチ９１、返却スイッチ９２等）は、前記操作基板（スイッチ基板９０）と対向する操作部材（球貸ボタン６０，返却ボタン７０）を有し、
該操作部材（球貸ボタン６０，返却ボタン７０）は、前記開閉部材（上皿ユニット４０）に設けたことを特徴とするものである。
【００２４】
このような構成からなる遊技機（パチンコ機１０）では、開閉部材（上皿ユニット４０）に設けられた操作部材（球貸ボタン６０，返却ボタン７０）を介して、操作基板（スイッチ基板９０）上に配設された玉貸スイッチ９１、返却スイッチ９２等を操作することができる。
【００２５】
また、開閉部材（上皿ユニット４０）において、操作基板（スイッチ基板９０）に対向する部分には操作部材（球貸ボタン６０，返却ボタン７０）が存在するため、この操作部材（球貸ボタン６０，返却ボタン７０）により開閉部材（上皿ユニット４０）の表面が閉塞されており、開閉部材（上皿ユニット４０）の表面側から開閉部材（上皿ユニット４０）内に針金等の異物を挿入することができない。したがって、遊技機（パチンコ機１０）の外部から遊技機（パチンコ機１０）の内部へ異物を挿入する等の不正行為を未然に防止することができる。
【００２６】
また、本発明に係る遊技機（パチンコ機１０）は、前記構成に加えて、前記表示基板（度数表示基板８０）および前記操作基板（スイッチ基板９０）を支持する支持部材（基板ブラケット１１０）を有し、
該支持部材（基板ブラケット１１０）は、前記開閉部材（上皿ユニット４０）の表面（表面部４６）と、前記表示基板（度数表示基板８０）および前記操作基板（スイッチ基板９０）とが略平行となる角度で、前記遊技機本体（前面枠１２）に取り付けたことを特徴とするものである。
【００２７】
このような構成からなる遊技機（パチンコ機１０）では、支持部材（基板ブラケット１１０）により表示基板（度数表示基板８０）および操作基板（スイッチ基板９０）を支持すると、開閉部材（上皿ユニット４０）の表面（表面部４６）と、表示基板（度数表示基板８０）および操作基板（スイッチ基板９０）とが略平行となる。
【００２８】
したがって、表示部（７セグメント表示器８１等）および操作部（球貸スイッチ９１、返却スイッチ９２等）が位置する開閉部材（上皿ユニット４０）の表面（表面部４６）を、遊技者の利用に適した角度に設定しておくことにより、表示基板（度数表示基板８０）および操作基板（スイッチ基板９０）も略同一の角度となり、表示部（７セグメント表示器８１等）の視認性を高めるとともに、操作部材（球貸ボタン６０、返却ボタン７０）の操作性を高めることができる。
【００２９】
また、本発明に係る遊技機（パチンコ機１０）は、遊技機本体（前面枠１２を含む遊技機本体１１）と、
該遊技機本体（前面枠１２）に開閉可能に取り付けた開閉部材（上皿ユニット４０）と、
遊技者と記録媒体対応機器（カードリーダライタユニット２０）との間で伝達される情報を前記開閉部材（上皿ユニット４０）の表面から入力と出力の少なくともどちらか一方が可能なインターフェース部（球貸スイッチ９１、返却スイッチ９２、７セグメント表示器８１等）と、
前記記録媒体対応機器（カードリーダライタユニット２０）からの配線（８３、９３）に接続され、前記インターフェース部（球貸スイッチ９１、返却スイッチ９２、７セグメント表示器８１等）で前記情報を伝達される側が認識可能な情報に変換するインターフェース基板（度数表示基板８０、スイッチ基板９０）とを有する遊技機（パチンコ機１０）であって、
前記遊技機本体（前面枠１２）に、前記インターフェース基板（度数表示基板８０、スイッチ基板９０）を配設したことを特徴とするものである。
【００３０】
このような構成からなる遊技機（パチンコ機１０）では、記録媒体対応機器（カードリーダライタユニット２０）により、プリペイドカード等の記録媒体に記録された有価価値情報を読み取り、該有価価値の範囲内で遊技媒体（例えば、パチンコ球）の貸し出しを受けることができる。
【００３１】
出力を行うインターフェース部としての表示部（７セグメント表示器８１等）は開閉部材（上皿ユニット４０）の表面から視認可能となっており、記録媒体対応機器（カードリーダライタユニット２０）で記録媒体から読み取った有価価値が表示される。そして、入力を行うインターフェース部としての操作部（球貸スイッチ９１、返却スイッチ９２等）を操作することにより記録媒体対応機器（カードリーダライタユニット２０）に操作信号を送信すると、遊技媒体（パチンコ球）の貸し出しを受けることができる。この際、貸し出した遊技媒体（パチンコ球）に対応する有価価値が減算され、記録媒体に有価価値情報として再記録されるとともに、減算された有価価値が出力を行うインターフェース部としての表示部（７セグメント表示器８１等）に表示される。
【００３２】
インターフェース基板は、表示基板（度数表示基板８０）や、操作基板（スイッチ基板９０）からなる。インターフェース基板には、記録媒体対応機器（カードリーダライタユニット２０）からの配線（８３，９３）が接続されており、この配線（８３，９３）を介して、インターフェース基板としての表示基板（度数表示基板８０）や操作基板（スイッチ基板９０）と記録媒体対応機器（カードリーダライタユニット２０）との間における信号の送受信が行われる。
【００３３】
インターフェース基板としての表示基板（度数表示基板８０）や操作基板（スイッチ基板９０）は、遊技機本体（前面枠１２）に配設されているため、記録媒体対応機器（カードリーダライタユニット２０）からの配線（８３，９３）も遊技機本体（前面枠１２）内に配設されることとなる。したがって、開閉部材（上皿ユニット４０）を開閉した際に、開閉部材（上皿ユニット４０）のヒンジや、開閉部材（上皿ユニット４０）と遊技機本体（前面枠１２）との間に配線（８３、９３）が挟まることがないので、配線（８３、９３）が断線することがなく、また開閉部材（上皿ユニット４０）の開閉操作を容易かつ確実に行うことができる。
【００３４】
【発明の実施の形態】
以下、図面を参照して、本発明に係る遊技機の実施形態を説明する。
なお、以下の説明では、代表的な遊技機としてパチンコ機を例にとって説明を行うが、本発明に係る遊技機はこれに限定されるものではない。
【００３５】
図１〜図４は本発明の実施形態に係るパチンコ機およびこれに用いる上皿ユニットを示すもので、図１（ａ）は上皿ユニットの縦断面図、図１（ｂ）は表示部および操作部の正面図、図１（ｃ）は度数表示基板およびスイッチ基板の平面図、図２は上皿ユニットの斜視図、図３は前面扉および上皿ユニットを開いた状態のパチンコ機の正面図、図４はパチンコ機およびカードリーダライタユニットの斜視図である。
【００３６】
＜パチンコ機＞
本発明の実施形態に係るパチンコ機１０は、図４に示すように、正面から見て左側に、カードリーダライタユニット２０が並設されている。そして、カードリーダライタユニット２０のカード挿入口２１からカードリーダライタユニット２０内にプリペイドカード（図示せず）を挿入すると、カードリーダライタユニット２０により、プリペイドカードに記録された有価価値情報等が読み取られ、球貸ボタン６０を操作することにより、読み取った有価価値の範囲内でパチンコ球の貸し出しを受けることができる。
【００３７】
このパチンコ機１０は、図３、図４に示すように、遊技機本体１１（機枠）の前面に、前面枠１２が開閉可能に取り付けられており、前面枠１２には、遊技盤１３、パチンコ球の発射装置１４、下皿１５、発射ハンドル１６等が設けられている。また、前面枠１２には、遊技盤１３の前面を塞ぐ位置に正面扉３０が開閉可能に取り付けられており、正面扉３０の下方には上皿ユニット４０が開閉可能に取り付けられている。
【００３８】
＜上皿ユニット＞
上皿ユニット４０は、図２〜図４に示すように、前面枠１２に開閉可能に取り付けられたベース部材４１の前面に、フロントカバー４２、上皿４３、および表示操作パネル４４が一体となるように組み付けられている。
【００３９】
なお、上皿ユニット４０には、カードリーダライタユニット２０からの配線８３，９３（図１（ａ）参照）が存在しないので、ベース部材４１、フロントカバー４２、上皿４３、および表示操作パネル４４を一体に組み付ける際に、カードリーダライタユニット２０からの配線８３，９３が各部材間に挟まって断線することがない。また配線８３，９３が作業の邪魔にならないので、組み付け作業を容易に行うことができる。
【００４０】
ベース部材４１には、上皿４３に臨む位置にパチンコ球の払出口４５が開設されており、払出装置（図示せず）により払い出されたパチンコ球は、払出通路（図示せず）および払出口４５を介して上皿４３内に流下する。なお、払出装置は、賞球を払い出す際およびパチンコ球の貸し出しを行う際に稼働する。
【００４１】
また、図示しないが、上皿４３内のパチンコ球は、１個ずつ発射装置１４に供給され、遊技者が発射ハンドル１６を操作することにより、遊技盤１３の表面に設けられた遊技部内に弾発される。また、上皿４３内にパチンコ球が満杯となると、払出装置により払い出されたパチンコ球は、オーバーフロー通路（図示せず）を介して下皿１５へ導かれる。
【００４２】
上皿ユニット４０の上部表面には、図２に示すように、上皿４３の右側に位置するようにして、表示操作パネル４４が設けられている。
【００４３】
＜表示操作パネル＞
表示操作パネル４４は、カードリーダライタユニット２０に関する表示および操作を行うためのパネルであり、図１（ａ）、図２に示すように、度数表示窓部材５０、球貸ボタン６０、および返却ボタン７０が取り付けられている。
【００４４】
度数表示窓部材５０は、図１（ａ）、図１（ｂ）に示すように、７セグメント表示器８１およびＬＥＤ８２に対向する位置に設けられており、上皿ユニット４０の表面から７セグメント表示器８１およびＬＥＤ８２を視認できるようになっている。この度数表示窓部材５０は、例えば有色フィルター等から構成される。
【００４５】
球貸ボタン６０および返却ボタン７０は、図１（ａ）、図１（ｂ）に示すように、それぞれ表示操作パネル４４の表面から出没する操作ボタン部６１，７１と、操作ボタン部６１，７１から下方へ向かって延設した押圧部６２，７２と、操作ボタン部６１，７１および押圧部６２，７２を支持基板１００に対して上下動可能に支持する支柱６３，７３と、操作ボタン部６１，７１および押圧部６２，７２を上方へ向かって付勢するバネ６４，７４を備えている。
【００４６】
球貸ボタン６０および返却ボタン７０の各押圧部６２，７２の先端は、図１（ａ）、図１（ｂ）に示すように、操作ボタン部６１，７１を操作することにより、玉貸スイッチ９１および返却スイッチ９２に当接するようになっている。
【００４７】
また、上皿ユニット４０の表面には、度数表示基板８０に対向する位置に度数表示窓部材５０が取り付けられており、スイッチ基板９０に対向する位置に球貸ボタン６０および返却ボタン７０が取り付けられているため、度数表示窓部材５０と、球貸ボタン６０および返却ボタン７０が障壁となり、針金等の異物を上皿ユニット４０および遊技機本体１１内に挿入することができない。このため、パチンコ機１０の外部からパチンコ機１０の内部へ異物を挿入する等の不正行為を確実に防止することができる。
【００４８】
＜度数表示基板＞
プリペイドカードに記録された有価価値情報は、カードリーダライタユニット２０により読み取られて信号として度数表示基板８０に送信され、残高あるいは球貸可能数等の有価価値として７セグメント表示器８１に表示される。この７セグメント表示器８１は、図１（ｂ）、図１（ｃ）に示すように、度数表示基板８０の表面に取り付けられている。
【００４９】
なお、図１（ｂ）、図１（ｃ）に示す例では、度数表示基板８０上に３個の７セグメント表示器８１を配設しているが、７セグメント表示器８１の数は３個に限られず、１個、２個、あるいは４個以上であってもよい。
【００５０】
また、プリペイドカードに記録された有価価値情報を表示する表示器は、７セグメント表示器８１に限られず、有価価値情報を表示できればどのような表示器を用いてもよく、例えば、ドットマトリクス表示器、液晶表示器、ＬＥＤ、ランプ等、他の表示器を用いることができる。
【００５１】
また、度数表示基板８０の表面には、カードリーダライタユニット２０が稼働状態（ＲＥＡＤＹ状態）であることを表示するＬＥＤ８２が配設されている。
【００５２】
この度数表示基板８０には、図１（ａ）、図１（ｃ）に示すように、カードリーダライタユニット２０からの配線８３が接続されており、この配線８３を介してカードリーダライタユニット２０との間で信号の送受信が行われる。
【００５３】
７セグメント表示器８１およびＬＥＤ８２は、上述したように、表示操作パネル４４の度数表示窓部材５０に臨んでおり、上皿ユニット４０の表面から７セグメント表示器８１の表示およびＬＥＤ８２の点灯状態を視認することができる。
【００５４】
＜スイッチ基板＞
カードリーダライタユニット２０および制御装置（図示せず）に対する玉貸信号は、玉貸スイッチ９１を操作することにより発生する。また、カードリーダライタユニット２０に対するカード返却信号は、返却スイッチ９２を操作することにより発生する。
【００５５】
この玉貸スイッチ９１および返却スイッチ９２は、図１（ｂ）、図１（ｃ）に示すように、スイッチ基板９０の表面に取り付けられている。なお、玉貸スイッチ９１および返却スイッチ９２は、玉貸信号およびカード返却信号を発生することができればどのような形態のスイッチを用いてもよい。
【００５６】
このスイッチ基板９０には、図１（ａ）、図１（ｃ）に示すように、カードリーダライタユニット２０からの配線９３が接続されており、この配線９３を介してカードリーダライタユニット２０との間で信号の送受信が行われる。
【００５７】
玉貸スイッチ９１および返却スイッチ９２の操作ボタン部６１，７１は、上述したように、表示操作パネル４４の表面から出没可能となっており、上皿ユニット４０の外部から操作することができる。
【００５８】
＜基板ブラケット＞
度数表示基板８０およびスイッチ基板９０は、基板ブラケット１１０に支持され遊技機本体１１に取り付けた前面枠１２に設けられている。
この基板ブラケット１１０は、図１（ａ）に示すように、遊技機本体１１に取り付けられた前面枠１２の前面から突出して設けられており、上面部１１１の角度が上皿ユニット４０の表面部４６と略平行となるように設定されている。
【００５９】
したがって、基板ブラケット１１０の上面部１１１に度数表示基板８０およびスイッチ基板９０を取り付けることにより、上皿ユニット４０の表面部４６と、度数表示基板８０およびスイッチ基板９０とが略平行となる。
【００６０】
このため、上皿ユニット４０の表面部４６を、遊技者の利用に適した角度に設定しておくことにより、度数表示基板８０およびスイッチ基板９０も略同一の角度となり、７セグメント表示器８１等の視認性が高まり、また、玉貸ボタン６０および返却ボタン７０の操作性が高まる。
【００６１】
なお、図１（ａ）、図１（ｂ）に示す例では、基板ブラケット１１０の上面部１１１を有効に利用するため、基板ブラケット１１０の上面部１１１の上方に位置するようにして度数表示基板８０を配設し、基板ブラケット１１０の上面部１１１の下方に位置するようにしてスイッチ基板９０を配設しているが、度数表示基板８０およびスイッチ基板９０の配設位置は、これに限られるものではない。
【００６２】
上皿ユニット４０のベース部材４１には、基板ブラケット１１０を挿通するための挿通孔４７が開設されており、上皿ユニット４０を閉じる際に、基板ブラケット１１０が挿通孔４７を介して上皿ユニット４０内に挿入される。
【００６３】
なお、基板ブラケット１１０は、上皿ユニット４０を閉じた状態で、球貸ボタン６０および返却ボタン７０の各押圧部６２，７２の先端が、それぞれ玉貸スイッチ９１および返却スイッチ９２に臨むとともに、度数表示窓部材５０に７セグメント表示器８１およびＬＥＤ８２が臨むようにして、遊技機本体１１に取り付けられた前面枠１２に設けられている。
【００６４】
度数表示基板８０およびスイッチ基板９０の配線８３，９３は、基板ブラケット１１０の内部を通って遊技機本体１１内へ引き込まれ、カードリーダライタユニット２０に接続される。
【００６５】
したがって、上皿ユニット４０を開閉する際に、度数表示基板８０およびスイッチ基板９０の配線８３，９３が上皿ユニット４０のヒンジ（図示せず）に噛み込まれたり、遊技機本体１１と上皿ユニット４０の間に挟まることがないので、配線８３，９３が断線することがなく、また上皿ユニット４０の開閉操作を容易かつ確実に行うことができる。
【００６６】
＜玉貸操作＞
球貸ボタン６０の操作ボタン部６１は、バネ６４の付勢力により表示操作パネル４４の表面から突出しており、この状態では、押圧部６２は玉貸スイッチ９１から離れた状態となっている。そして、バネ６４の付勢力に抗して操作ボタン部６１を押し込むと、押圧部６２が玉貸スイッチ９１に当接し、玉貸スイッチ９１がオンとなり、カードリーダライタユニット２０および制御装置（図示せず）に対して玉貸信号が送信される。
【００６７】
玉貸信号を受信した制御装置は、払出装置を制御して、玉貸スイッチ９１がオンとなる毎に所定数のパチンコ球を払い出す。また、玉貸信号を受信したカードリーダライタユニット２０は、プリペイドカードに記録された有価価値から、払い出されたパチンコ球数に相当する有価価値を減算し、有価価値情報として再記録する。
【００６８】
この際、プリペイドカードに記録された有価価値情報が、７セグメント表示器８１に表示される。なお、７セグメント表示器８１に表示される有価価値情報は、プリペイドカードの残高をそのまま表示してもよいし、パチンコ球数に換算した値を表示してもよい。
【００６９】
＜プリペイドカードの返却操作＞
返却ボタン７０の操作ボタン部７１は、バネ７４の付勢力により表示操作パネル４４の表面から突出しており、この状態では、押圧部７２は返却スイッチ９２から離れた状態となっている。そして、バネ７４の付勢力に抗して操作ボタン部７１を押し込むと、押圧部７２が返却スイッチ９２に当接し、返却スイッチ９２がオンとなり、カードリーダライタユニット２０に対してカード返却信号が送信される。
【００７０】
カード返却信号を受信したカードリーダライタユニット２０は、プリペイドカードをカード挿入口２１からカードリーダライタユニット２０の外部へ排出する。
【００７１】
＜他の実施形態＞
なお、上記実施形態では、代表的な遊技機としてパチンコ機１０を例にとって説明したが、本発明は、記録媒体対応機器が並設され、この記録媒体対応機器に対応する表示部および操作部を備えた遊技機であれば、パチスロ遊技機、アレンジボール遊技機、その他のゲームマシン等、他の遊技機にも適用することができる。
【００７２】
また、記録媒体対応機器で使用する記録媒体は、プリペイドカードに限られず、有価価値情報を記録することができればどのような記録媒体であってもよく、ＩＣカード、コイン状の記録媒体等を用いることができる。
【００７３】
また、上皿ユニット４０の上面に、度数表示基板８０とスイッチ基板９０を近接して設けているが、両基板を離隔して設けてもよい。
【００７４】
また、上皿ユニット４０の上面には、操作部の構成要素である球貸スイッチ９１および返却スイッチ９２と、表示部の構成要素である度数表示窓部材５０の双方を設けるのではなく、いずれか一方のみを設けてもよい。これに対応して、前面枠１２には、スイッチ基板９０と度数表示基板８０の双方、あるいはいずれか一方のみを配設すればよい。
【００７５】
【発明の効果】
以上説明したように、本発明に係る遊技機では、操作基板や表示基板が、遊技機本体に配設されているため、記録媒体対応機器からの配線も遊技機本体内に配設される。
【００７６】
したがって、開閉部材を開閉した際に、開閉部材のヒンジや、開閉部材と遊技機本体との間に配線が挟まることがないので、これにより配線が断線することがない。また、開閉部材の開閉の際に配線が邪魔にならないので、開閉部材を容易かつ確実に開閉することができる。
【図面の簡単な説明】
【図１】本発明の実施形態に係るパチンコ機に使用する上皿ユニットの縦断面図（ａ）、表示部および操作部の正面図（ｂ）、度数表示基板およびスイッチ基板の平面図（ｃ）。
【図２】本発明の実施形態に係るパチンコ機に使用する上皿ユニットの斜視図
【図３】前面扉および上皿ユニットを開いた状態の本実施形態に係るパチンコ機の正面図
【図４】本実施形態に係るパチンコ機およびカードリーダライタユニットの斜視図
【符号の説明】
１０  パチンコ機
１１  遊技機本体
１２  前面枠
１３  遊技盤
１４  発射装置
１５  下皿
１６  発射ハンドル
２０  カードリーダライタユニット
２１  カード挿入口
３０  正面扉
４０  上皿ユニット
４１  ベース部材
４２  フロントカバー
４３  上皿
４４  表示操作パネル
４５  払出口
４６  表面部
４７  挿通孔
５０  度数表示窓部材
６０  球貸ボタン
６１  操作ボタン部
６２  押圧部
６３  支柱
６４  バネ
７０  返却ボタン
７１  操作ボタン部
７２  押圧部
７３  支柱
７４  バネ
８０  度数表示基板
８１  ７セグメント表示器
８２  ＬＥＤ
８３  配線
９０  スイッチ基板
９１  玉貸スイッチ
９２  返却スイッチ
９３  配線
１００  支持基板
１１０  基板ブラケット
１１１  上面部
【図１】
2004350772.tif 000003
【図２】
2004350772.tif 000004
【図３】
2004350772.tif 000005
【図４】
2004350772.tif 000006